【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
複数の無線送受信ユニット（ＷＴＲＵ）のマルチユーザ並列チャネルアクセス（ＭＵ−ＰＣＡ）グループに属するＷＴＲＵであって、前記複数のＷＴＲＵの前記ＭＵ−ＰＣＡグループは、アクセスポイント（ＡＰ）によって管理された複数のチャネルを介して通信するように構成され、前記ＷＴＲＵは、
前記ＡＰが前記複数のＷＴＲＵの前記ＭＵ−ＰＣＡグループにＭＵ送信としてデータを送信する準備ができていることを示しているグループ送信要求（Ｇ−ＲＴＳ）メッセージを、前記ＡＰから、前記ＷＴＲＵに関連付けられた前記複数のチャネルのうちのチャネルを介して受信するように構成された受信機であって、前記Ｇ−ＲＴＳは、前記ＭＵ−ＰＣＡグループにおける前記複数のＷＴＲＵの各々に、前記複数のチャネルを介して一斉に前記ＡＰによって提供される、受信機と、
前記ＷＴＲＵに関連付けられた前記チャネルを介して、前記ＷＴＲＵが前記ＷＴＲＵに関連付けられた前記チャネル上で受信する準備ができていることを示している第１の送信可（ＣＴＳ）メッセージを前記ＡＰに送信するように構成された送信機と
を備え、
前記受信機は、前記ＷＴＲＵに関連付けられた前記チャネルを介して、前記ＭＵ送信としてデータメッセージを前記ＡＰから受信するように構成され、
前記送信機は、前記ＷＴＲＵに関連付けられた前記チャネルを介して、少なくとも１つのフレームを前記ＡＰに送信するように構成され、前記少なくとも１つのフレームは、長さが１ビットであるアップリンク（ＵＬ）の表示を含み、および前記表示は、前記ＷＴＲＵが前記ＡＰに送信するためのＵＬデータを有するという条件で、予め定められたビット値に設定される
ことを特徴とするＷＴＲＵ。
【請求項２】
前記表示が前記予め定められたビット値に設定されるという条件で、
前記受信機は、前記ＷＴＲＵに関連付けられた前記チャネルを介して、第２のＣＴＳメッセージを前記ＡＰから受信するようにさらに構成され、
前記送信機は、前記受信機が前記第２のＣＴＳメッセージを受信していることに応答して、前記ＷＴＲＵに関連付けられた前記チャネルを介して、前記ＵＬデータを前記ＡＰに送信するようにさらに構成される
ことを特徴とする請求項１に記載のＷＴＲＵ。
【請求項３】
前記送信機は、前記複数のＷＴＲＵのうちの他が前記複数のチャネルの残りのチャネルを介して他のＣＴＳメッセージを送信する間に、前記第１のＣＴＳメッセージを送信するように構成されることを特徴とする請求項１に記載のＷＴＲＵ。
【請求項４】
前記少なくとも１つのフレームは、肯定応答（ＡＣＫ）メッセージであることを特徴とする請求項１に記載のＷＴＲＵ。
【請求項５】
前記第１のＣＴＳメッセージは、グループＣＴＳ（Ｇ−ＣＴＳ）メッセージであり、および前記少なくとも１つのフレームは、グループ肯定応答（Ｇ−ＡＣＫ）メッセージであることを特徴とする請求項１に記載のＷＴＲＵ。
【請求項６】
前記送信機は、前記受信機が前記ＡＰから前記データメッセージを正しく受信していることに応答して、前記少なくとも１つのフレームを送信するように構成されることを特徴とする請求項１に記載のＷＴＲＵ。
【請求項７】
前記受信機は、前記複数のＷＴＲＵのうちの他が前記複数のチャネルの残りのチャネルを介して他のデータメッセージを受信する間に、前記ＷＴＲＵに関連付けられた前記チャネルを介して前記データメッセージを受信するように構成されることを特徴とする請求項１に記載のＷＴＲＵ。
【請求項８】
前記送信機は、前記複数のＷＴＲＵのうちの他が肯定応答メッセージを送信する間に、前記少なくとも１つのフレームを送信するように構成されることを特徴とする請求項１に記載のＷＴＲＵ。
【請求項９】
複数の無線送受信ユニット（ＷＴＲＵ）のマルチユーザ並列チャネルアクセス（ＭＵ−ＰＣＡ）グループに属するＷＴＲＵにおける使用のための方法であって、前記複数のＷＴＲＵの前記ＭＵ−ＰＣＡグループは、アクセスポイント（ＡＰ）によって管理された複数のチャネルを介して通信するように構成され、前記方法は、
前記ＷＴＲＵに関連付けられた前記複数のチャネルを介して、前記ＡＰが前記複数のＷＴＲＵの前記ＭＵ−ＰＣＡグループにＭＵ送信としてデータを送信する準備ができていることを示しているグループ送信要求（Ｇ−ＲＴＳ）メッセージを、前記ＡＰから、前記ＷＴＲＵに関連付けられた前記複数のチャネルのうちのチャネルを介して受信するステップであって、前記Ｇ−ＲＴＳは、前記ＭＵ−ＰＣＡグループにおける前記複数のＷＴＲＵの各々に、前記複数のチャネルを介して一斉に前記ＡＰによって提供される、ステップと、
前記ＷＴＲＵに関連付けられた前記チャネルを介して、前記ＷＴＲＵが前記ＷＴＲＵに関連付けられた前記チャネル上で受信する準備ができていることを示している第１の送信可（ＣＴＳ）メッセージを前記ＡＰに送信するステップと、
前記ＷＴＲＵに関連付けられた前記チャネルを介して、前記ＭＵ送信としてデータメッセージを前記ＡＰから受信するステップと、
前記ＷＴＲＵに関連付けられた前記チャネルを介して、少なくとも１つのフレームを前記ＡＰに送信するステップであって、前記少なくとも１つのフレームは、長さが１ビットであるアップリンク（ＵＬ）の表示を含み、前記表示は、前記ＷＴＲＵが前記ＡＰに送信するためのＵＬデータを有するという条件で、予め定められたビット値に設定される、ステップと
を備えたことを特徴とする方法。
【請求項１０】
前記表示が前記予め定められたビット値に設定されるという条件で、
前記ＷＴＲＵに関連付けられた前記チャネルを介して、第２のＣＴＳメッセージを前記ＡＰから受信するステップと、
前記第２のＣＴＳメッセージを受信していることに応答して、前記ＷＴＲＵに関連付けられた前記チャネルを介して、前記ＵＬデータを前記ＡＰに送信するステップと
をさらに備えたことを特徴とする請求項９に記載の方法。
【請求項１１】
前記第１のＣＴＳメッセージを送信する前記ステップは、前記複数のＷＴＲＵのうちの他が前記複数のチャネルの残りのチャネルを介して他のＣＴＳメッセージを送信する間に、前記第１のＣＴＳメッセージを送信するステップを含むことを特徴とする請求項９に記載の方法。
【請求項１２】
前記少なくとも１つのフレームは、前記複数のＷＴＲＵによる肯定応答（ＡＣＫ）メッセージであることを特徴とする請求項９に記載の方法。
【請求項１３】
前記第１のＣＴＳメッセージは、グループＣＴＳ（Ｇ−ＣＴＳ）メッセージであり、および前記少なくとも１つのフレームは、グループ肯定応答（Ｇ−ＡＣＫ）メッセージであることを特徴とする請求項９に記載の方法。
【請求項１４】
前記少なくとも１つのフレームを送信する前記ステップは、前記ＡＰから前記データメッセージを正しく受信していることに応答して、前記複数のＷＴＲＵのうちの他が肯定応答メッセージを送信する間に、前記少なくとも１つのフレームを送信するステップを含むことを特徴とする請求項９に記載の方法。
【請求項１５】
複数の無線送受信ユニット（ＷＴＲＵ）のマルチユーザ並列チャネルアクセス（ＭＵ−ＰＣＡ）グループに属し、および前記ＭＵ−ＰＣＡグループ内の複数のチャネルを管理するように構成されたアクセスポイント（ＡＰ）であって、前記ＡＰは、
前記ＡＰが前記複数のＷＴＲＵの前記ＭＵ−ＰＣＡグループにＭＵ送信としてデータを送信する準備ができていることを示しているグループ送信要求（Ｇ−ＲＴＳ）メッセージを前記ＷＴＲＵに関連付けられたチャネルを介して前記ＷＴＲＵに送信するように構成された送信機であって、前記送信機は、前記ＭＵ−ＰＣＡグループにおける前記複数のＷＴＲＵの各々に、前記複数のチャネルを介して一斉に前記Ｇ−ＲＴＳを送信する、送信機と、
前記ＷＴＲＵに関連付けられた前記チャネルを介して、前記ＷＴＲＵが前記ＷＴＲＵに関連付けられた前記チャネル上で受信する準備ができていることを示している第１の送信可（ＣＴＳ）メッセージを前記ＷＴＲＵから受信するように構成された受信機と
を備え、
前記送信機は、前記ＷＴＲＵに関連付けられた前記チャネルを介して、前記ＭＵ送信として、データメッセージを前記ＷＴＲＵに送信するように構成され、
前記受信機は、前記ＷＴＲＵに関連付けられた前記チャネルを介して、少なくとも１つのフレームを前記ＷＴＲＵから受信するように構成され、前記少なくとも１つのフレームは、長さが１ビットであるアップリンク（ＵＬ）の表示を含み、および前記表示は、前記ＷＴＲＵが前記ＡＰに送信するためのＵＬデータを有するという条件で、予め定められたビット値に設定される
ことを特徴とするＡＰ。
【請求項１６】
前記表示が前記予め定められたビット値に設定されるという条件で、
前記送信機は、前記ＷＴＲＵに関連付けられた前記チャネルを介して、第２のＣＴＳメッセージを前記ＷＴＲＵに送信するようにさらに構成され、
前記受信機は、前記第２のＣＴＳメッセージを送信することに応答して、前記ＷＴＲＵに関連付けられた前記チャネルを介して、前記ＵＬデータを前記ＷＴＲＵから受信するようにさらに構成される
ことを特徴とする請求項１５に記載のＡＰ。
【請求項１７】
前記受信機は、前記複数のＷＴＲＵの他から肯定応答メッセージを受信している間に、前記少なくとも１つのフレームを受信するように構成されることを特徴とする請求項１５に記載のＡＰ。
【手続補正２】
【補正対象書類名】明細書
【補正対象項目名】００４１
【補正方法】変更
【補正の内容】
【００４１】
複数チャネル幅のＷＬＡＮシステムでは、通信するＳＴＡが、利用可能な帯域幅の小さな部分上でしか送信および受信が可能でないことがある場合、８０２．１１規格は、残りの利用可能な周波数帯域幅が、ＡＰおよび他のＳＴＡが利用可能な帯域幅のその部分を利用することが可能であっても、ＢＳＳ全体でアイドルのままであることを規定し得る。その結果、そのようなＢＳＳにおけるリソースは、十分に活用されず、浪費されることがある。この問題は、例えば、８０２．１１ｎ、８０２．１１ａｃ、および８０２．１１ａｆ、ならびに８０２．１１ａｈにおいてなど、複数チャネル幅を用いるいずれのＷＬＡＮシステムで存在し得、ＢＳＳ内のいくつかのＳＴＡは最小の１ＭＨｚ動作モードのみサポートする。
【手続補正３】
【補正対象書類名】明細書
【補正対象項目名】００７８
【補正方法】変更
【補正の内容】
【００７８】
その後、ＳＴＡは、プライマリチャネルを介して、各（Ｇ−）ＣＴＳ間にＳＩＦＳ間隔を空けて、ＡＰによって割り当てられた順序に従って、（Ｇ−）ＣＴＳ  ７０４STA4、７０３STA3、および７０８STA1を順番に送信できる。（Ｇ−）ＣＴＳ  ７０４STA4、７０３STA3、および７０８STA1は、ＤＬパケットを受信するためにチャネルを切り換える準備が整ったことをＡＰに通知するのに、また少なくとも、すべてのＤＬ  ＭＵ−ＰＣＡパケットに対する肯定応答がＳＴＡによって返されるまで、チャネルを、これらのチャネルを介して動作するすべてのノードのためのＮＡＶを設定し、潜在的には、それら自身のプライマリチャネルとしてそれらを使用することによって確保しておくのに役立ち得る。例えば、第ｎの（Ｇ−）ＣＴＳの持続時間フィールドは、Ｄｕｒａｔｉｏｎ＿Ｇ−ＲＴＳ−Ｙ×ＳＩＦＳ＿Ｔｉｍｅ−Ｙ×（Ｇ−）ＣＴＳ＿Ｔｉｍｅになるように設定され得、Ｄｕｒａｔｉｏｎ＿Ｇ−ＲＴＳは、Ｇ−ＲＴＳパケット内に含まれる持続時間設定であり、ＳＩＦＳ＿Ｔｉｍｅは、ＳＩＦＳの持続時間であり、（Ｇ−）ＣＴＳ＿Ｔｉｍｅは、（Ｇ−）ＣＴＳパケットの送信時間である。
【手続補正４】
【補正対象書類名】明細書
【補正対象項目名】００７９
【補正方法】変更
【補正の内容】
【００７９】
ＭＵ−ＰＣＡグループ内の送信を行うように割り当てられた第１のＳＴＡ（この例ではＳＴＡ４）は、第１のＧ−ＲＴＳフレームの後、ＳＩＦＳ時間が経過したら、（Ｇ−）ＣＴＳを送信でき、第１のＳＴＡであるＳＴＡ４から（Ｇ−）ＣＴＳ７０４STA4を受信すると、ＡＰは、第２のＳＴＡに（Ｇ−）ＣＴＳを要求するために、プライマリチャネルを介して、次のＳＴＡ（この例ではＳＴＡ３）に、別のＧ−ＲＴＳ（または、例えば、Ｇ−Ｐｏｌｌなどの別の制御フレーム）を送信でき、第２のＳＴＡは、（Ｇ−）ＣＴＳを用いて応答でき、その後、プロセスは、ＭＵ−ＰＣＡグループ内のすべてのＳＴＡが（Ｇ−）ＣＴＳフレームを送信するまで繰り返すことができる。Ｇ−ＲＴＳフレームおよび（Ｇ−）ＣＴＳフレーム内の持続時間フィールドは、追加のＳＩＦＳおよびＧ−ＲＴＳフレームの持続時間を用いて、しかるべく調整され得る。
【手続補正５】
【補正対象書類名】明細書
【補正対象項目名】００８１
【補正方法】変更
【補正の内容】
【００８１】
（Ｇ−）ＣＴＳ  ７０４STA4、７０３STA3、および７０８STA1を受信すると、ＡＰは、各ＳＴＡにそれぞれ、それぞれに割り当てられたチャネルを介して、データパケット７１２APを送信できる。データパケット７１２APは、長さが異なることがあり、異なるＭＣＳを使用して送信され得るので、ＢＳＳ全体が、プライマリチャネルのタイミングに依存して、ＢＳＳ内の動作について同期を保つことができるように、最も長いパケットが、プライマリチャネルを介して送信されるように選択され得る。ＤＬ送信が同じ時刻に終了するように、（時間的に）等しい長さのデータパケットを作成するために、パディングが、すべてのチャネル２１８1~4上で使用され得る。１つのＧ−ＣＴＳが受信されない場合、ＡＰは、対応するＳＴＡに対するＤＬパケットを割り当てられたチャネルを介して送信しないことを選択でき、または送信を通常通り続行することを選択できる。ＳＴＡは、それぞれのデータパケットを受信すると、ＡＣＫパケット７１６STA1、７１６STA3、７１６STA4をＡＰに送出して、受信を知らせる。
【手続補正６】
【補正対象書類名】明細書
【補正対象項目名】０１３１
【補正方法】変更
【補正の内容】
【０１３１】
ＵＬ  ＭＵ−ＰＣＡグループ内のすべてのＳＴＡ（ＳＴＡ１、ＳＴＡ３、ＳＴＡ４）は、それぞれに割り当てられたチャネル（ＳＴＡ１は２１８1、ＳＴＡ３は２１８2,3、ＳＴＡ４は２１８4）上で、アップリンクパケット１８０８STA1、１８０８STA3、１８０８STA4をＡＰに送信できる。ＡＰは、時間的に最長のＵＬデータパケットが終了した後、さらなるＳＩＦＳ間隔１８１０の間、待つことができ、ＡＰは、受信データパケットを正常に復号できた場合、Ｇ−ＡＣＫフレーム１８１２ＡＰを送信して、ＵＬパケット１８０８STA1、１８０８STA3、１８０８STA4の受信を知らせることができる。１または複数のＵＬデータパケットが正しく復号されなかった場合、ＡＰは、それらに対応するチャネルを介しては、Ｇ−ＡＣＫパケットを送信できない。例では、ＡＰがＵＬパケットを正しく受信しなかったＳＴＡに送信すべきＤＬパケットを、ＡＰが有する場合、ＡＰは、自身宛てのＧ−ＣＴＳを送信できる。（Ｇ−）ＣＴＳ１８０６APの持続時間フィールド設定は、以下で説明されるＧ−ＡＣＫの持続時間フィールド設定と同じとすることができる。（Ｇ−）ＡＣＫ１８１２APは、任意のタイプのフレームとして、例えば、ＡＣＫ、ＢＡ、またはマルチユーザＡＣＫフレームとして実施され得る。例では、ＵＬ  ＭＵ−ＰＣＡパケットに対する肯定応答は、ＭＵ−ＰＣＡセッションが終了するまで、またはＳＴＡがＢＡＲフレームを使用してＡＣＫもしくはＢＡを明示的に要求するまで、省略され得る。